(57)【要約】      （修正有）【課題】ゴルフクラブを力を入れずに握り、かつフェースの向きのぶれが生じない状態で、振ることを可能にするゴルフ用手袋を提供する。【解決手段】手袋の手のひら部分に、挿入可能な伸縮布等ないし布等（開閉できるものでもよい）を設け、手袋の手のひら部分と伸縮布等ないし布等との間隙に、ゴルフクラブのグリップ部分を差し込み、挿入させ、又は差し込み挿入したうえ一回ねじった状態で、クラブを握る。【選択図】図１
0003161510.tif 000002
【実用新案登録請求の範囲】
【請求項１】
１  手袋の手のひら部分に
２  ゴルフグリップの円周を超える適切な長さ（ないしはゴルフグリップを挿入して１回ねじる程度の余裕のある適切な長さ）で、幅が約数センチメートルの、伸縮性のあるゴム、布、ゴム入りの布（以下「伸縮布等」と呼ぶ）を
３  その両端を縫いつけるなどの方法で設け
４  その縫いつけるなどした伸縮布等と手袋の間に、ゴルフグリップを挿入可能な
５  ゴルフ用手袋
【請求項２】
１  手袋の手のひら部分に
２  ゴルフグリップの円周を超える適切な長さ（ないしはゴルフグリップを挿入して１回ねじる程度の余裕のある適切な長さ）で、幅が約数センチメートルの、ゴム、布、ゴム入りの布、皮革、合成皮革等（以下「布等」と呼ぶ）を
３  その両端を縫いつけるなどの方法で設け
４  その縫いつけるなどした布等と手袋の間に、ゴルフグリップを挿入可能な
５  ゴルフ用手袋
【請求項３】
１  手袋の手のひら部分に
２  ゴルフグリップの円周を超える適切な長さ（ないしはゴルフグリップを挿入して１回ねじる程度の余裕のある適切な長さ）で、幅が約数センチメートルの、伸縮布等ないしは布等を
３  スナップないしはマジックテープ等により開閉のできる形態で、縫いつけるなどの方法で設け
４  その縫いつけるなどした布等と手袋の間に、ゴルフグリップを挿入可能な
５  ゴルフ用手袋
【請求項４】
１  手袋の手のひら部分に
２  ゴルフグリップの円周を超える適切な長さ（ないしはゴルフグリップを挿入して１回ねじる程度の余裕のある適切な長さ）で、幅が約数センチメートルの、伸縮布等ないしは布等を
３  伸縮布等ないしは布等を結び、解くことにより開閉のできる形態で、縫いつけるなどの方法で設け
４  その縫いつけるなどした布等と手袋の間に、ゴルフグリップを挿入可能な
５  ゴルフ用手袋
【考案の詳細な説明】
【技術分野】
【０００１】  この考案は、ゴルフクラブを力を入れずに握ることでゴルフクラブが手からすっぽ抜けるのではないかとの心理的不安を解消することにより、ゴルフクラブを力を入れずに握ることを可能にし（ゴルフクラブを、鞭のように、しなやかに振ることを可能ならしめ）、かつ、グリップをしっかりと固定し、フェースがぶれないようにするものである。
【背景技術】
【０００２】  従来、「グリップをしっかりと固定し、フェースがぶれないようにする」目的では、ゴルフクラブを握った手について、その周りをバンドなどを用いて締めつけて固定するなどの固定バンド付きのゴルフクラブも考案されていた。
しかしながら、ゴルフスウィングにおいて重要なのは、
▲１▼  ゴルフクラブを、力を入れずに、握ることと
▲２▼  球を打つ際に、そのフェースの向きをぶれさせないこと
の一見二律背反することを実現させることにある。
本件考案は、まさに、この二律背反する目的を、この考案した形状を持つゴルフ用手袋を使用することにより、簡単に実現させるものである。
【考案の開示】
【考案が解決しようとする課題】
【０００３】▲１▼  ゴルフクラブを、力を入れずに、握ることと
▲２▼  球を打つ際に、そのフェースの向きをぶれさせないために、ゴルフクラブをしっかり握ること
という二律背反する目的を実現させる方法は見あたらなかった。
【課題を解決するための手段】
【０００４】  手袋の手のひら部分に、ゴルフグリップの円周を超える適切な長さで、幅が約数センチメートルの、伸縮布等ないしは布等（開閉のできるものでもよい）を設け、その手袋を装着して、ゴルフクラブのグリップ部分をこの伸縮布等ないしは布等と手袋の手のひら部分との間隙の指先方向から挿入させて、伸縮性のある素材等によりグリップ部分を圧迫、押して固定する。
又は、手袋を装着して、ゴルフクラブを上下反転させた状態で、グリップ先端部分を伸縮布等ないしは布等（開閉のできるものでもよい）と手袋の手のひら部分との間隙の手首方向から挿入させたうえ、ゴルフクラブを前方に降ろすことにより伸縮布等ないしは布等が一回ねじれた状態をつくり、この伸縮布等ないしは布等によりグリップ部分を巻き付け固定させる。
これらの状態で、手袋でゴルフクラブを握ることにより、その握り行為により、伸縮布等ないしは布等のねじれ、よじれを招き、このねじれないしよじれにより、グリップ部分を、さらに、圧迫固定し、フェースの向きのぶれを生じにくくするとともに、力を入れずにゴルフクラブを握ることでゴルフクラブが手からすっぽ抜けるのではないかとの心理的不安を解消させ、力を抜いてクラブを握って振ることを可能にしている。
【考案の効果】
【０００５】  力を入れずにゴルフクラブを握ることでゴルフクラブが手からすっぽ抜けるのではないかとの心理的不安を解消させ、力を抜いてクラブを握って振ることを可能にするとともに、ゴルフグリップをしっかり固定させていることにより、球を打つ際のフェースのぶれの発生を抑制し、目標方向に、球を打つことを可能にさせている。
【考案を実施するための最良の形態】
【０００６】▲１▼  手袋の手のひら部分に設ける伸縮布等ないし布等の長さは、ゴルフクラブグリップ部分の円周を超える程度のもの（開閉のできるものでもよい）、ないしはゴルフグリップを挿入して１回ねじる程度の余裕のあるもの（開閉のできるものでもよい）とし
▲２▼  その幅は、約数センチメートル程度の幅で、
▲３▼  伸縮性布の場合には、その布の弾力性により、手袋との間隙に差し込み挿入されたゴルフグリップをぶれないように固定し
伸縮性のない布等の場合には、その布でグリップを巻き付け固定し
▲４▼  その状態で、クラブを握ることにより、伸縮布等ないし布等がよじれて、グリップを固定することとなり
▲５▼  上記▲３▼、▲４▼記載の固定力と握力により、クラブを柔らかく握っているだけで、クラブはしっかりと固定される。
【図面の簡単な説明】
【０００７】
【図１】  クラブに布等を巻き付けない場合の装着態様
【図２】  クラブに布等を巻き付けた場合の装着態様
【図３】  クラブを装着していない状態の手袋
【図４】  開閉できる布等にスナップ（ないしはマジックテープ等）がある形態のクラブに布等を巻き付けない場合の装着態様（※クラブに布等を巻き付けた場合の図は省略）
【図５】  開閉できる布等を結んで使用する形態のクラブに布等を巻き付けない場合の装着態様（※クラブに布等を巻き付けた場合の図は省略）
【図６】  開閉できる布等にスナップ（ないしはマジックテープ等）がある形態、及び、開閉できる布等を結んで使用する形態のクラブを装着していない状態の手袋
【符号の説明】
【０００８】  １  手袋
２  伸縮布等ないし布等
３  ゴルフクラブ
４  スナップ（ないしはマジックテープ等）
【図１】
0003161510.tif 000003
【図２】
0003161510.tif 000004
【図３】
0003161510.tif 000005
【図４】
0003161510.tif 000006
【図５】
0003161510.tif 000007
【図６】
0003161510.tif 000008
【手続補正書】
【提出日】平成22年5月14日(2010.5.14)
【手続補正１】
【補正対象書類名】明細書
【補正対象項目名】０００７
【補正方法】変更
【補正の内容】
【０００７】
【図１】  クラブに布等を巻き付けない場合の装着態様
【図２】  クラブに布等を巻き付けた場合の装着態様
【図３】  クラブを装着していない状態の手袋
【図４】  開閉できる布等にスナップないしはマジックテープ（登録商標）等がある形態のクラブに布等を巻き付けない場合の装着態様（※クラブに布等を巻き付けた場合の図は省略）
【図５】  開閉できる布等を結んで使用する形態のクラブに布等を巻き付けない場合の装着態様（※クラブに布等を巻き付けた場合の図は省略）
【図６】  開閉できる布等にスナップないしはマジックテープ（登録商標）等がある形態、及び、開閉できる布等を結んで使用する形態のクラブを装着していない状態の手袋
【手続補正２】
【補正対象書類名】明細書
【補正対象項目名】０００８
【補正方法】変更
【補正の内容】
【０００８】１  手袋
２  伸縮布等ないし布等
３  ゴルフクラブ
４  スナップないしはマジックテープ（登録商標）等
【手続補正３】
【補正対象書類名】図面
【補正対象項目名】図４
【補正方法】変更
【補正の内容】
【図４】
0003161510.tif 000009
【手続補正４】
【補正対象書類名】図面
【補正対象項目名】図６
【補正方法】変更
【補正の内容】
【図６】
0003161510.tif 000010
【手続補正５】
【補正対象書類名】実用新案登録請求の範囲
【補正対象項目名】請求項１
【補正方法】変更
【補正の内容】
【請求項１】
１  手袋の手のひら部分に
２  ゴルフグリップの円周を超える適切な長さ、ないしはゴルフグリップを挿入して１回ねじる程度の余裕のある適切な長さで、幅が約数センチメートルの、伸縮性のあるゴム、布、ゴム入りの布（以下「伸縮布等」と呼ぶ）を
３  その両端を縫いつけるなどの方法で設け
４  その縫いつけるなどした伸縮布等と手袋の間に、ゴルフグリップを挿入可能な
５  ゴルフ用手袋
【手続補正６】
【補正対象書類名】実用新案登録請求の範囲
【補正対象項目名】請求項２
【補正方法】変更
【補正の内容】
【請求項２】
１  手袋の手のひら部分に
２  ゴルフグリップの円周を超える適切な長さ、ないしはゴルフグリップを挿入して１回ねじる程度の余裕のある適切な長さで、幅が約数センチメートルの、ゴム、布、ゴム入りの布、皮革、合成皮革等（以下「布等」と呼ぶ）を
３  その両端を縫いつけるなどの方法で設け
４  その縫いつけるなどした布等と手袋の間に、ゴルフグリップを挿入可能な
５  ゴルフ用手袋
【手続補正７】
【補正対象書類名】実用新案登録請求の範囲
【補正対象項目名】請求項３
【補正方法】変更
【補正の内容】
【請求項３】
１  手袋の手のひら部分に
２  ゴルフグリップの円周を超える適切な長さ、ないしはゴルフグリップを挿入して１回ねじる程度の余裕のある適切な長さで、幅が約数センチメートルの、伸縮布等ないしは布等を
３  スナップないしはマジックテープ（登録商標）等により開閉のできる形態で、縫いつけるなどの方法で設け
４  その縫いつけるなどした布等と手袋の間に、ゴルフグリップを挿入可能な
５  ゴルフ用手袋
【手続補正８】
【補正対象書類名】実用新案登録請求の範囲
【補正対象項目名】請求項４
【補正方法】変更
【補正の内容】
【請求項４】
１  手袋の手のひら部分に
２  ゴルフグリップの円周を超える適切な長さ、ないしはゴルフグリップを挿入して１回ねじる程度の余裕のある適切な長さで、幅が約数センチメートルの、伸縮布等ないしは布等を
３  伸縮布等ないしは布等を結び、解くことにより開閉のできる形態で、縫いつけるなどの方法で設け
４  その縫いつけるなどした布等と手袋の間に、ゴルフグリップを挿入可能な
５  ゴルフ用手袋